(57)【要約】【課題】  供給電力量に応じた動作制御が可能な家電機器および洗濯乾燥機を提供する。【解決手段】  洗濯乾燥機１は、自家発電による供給電力量を、自家発電装置２から取得し、同じ家屋に設置された、洗濯乾燥機１を含む全ての家電機器の消費電力量の総和である総消費電力量を、電力測定器３から取得すると、取得した供給電力量と、取得した総消費電力量とを比較し、比較結果に応じて動作条件を決定し、決定した動作条件で洗濯乾燥動作を行う。【選択図】      図１
2014124350.tif 000002
【特許請求の範囲】
【請求項１】
商用電源および自家発電設備によって電力が供給される構内に設置される家電機器であって、
設定された動作条件に従って動作を行う動作部と、
前記自家発電設備によって供給される供給電力量を、第１の外部装置から取得する供給量取得部と、
前記構内に設置された全ての家電機器の消費電力量の総和である総消費電力量を、第２の外部装置から取得する消費電力量取得部と、
前記供給量取得部が取得した供給電力量と、前記消費電力量取得部が取得した総消費電力量とを比較し、比較結果に応じて動作条件を設定し、設定した動作条件で前記動作部を動作させる動作制御部と、を有することを特徴とする家電機器。
【請求項２】
商用電源および自家発電設備によって電力が供給される構内に設置される家電機器であって、
設定された動作条件に従って動作を行う動作部と、
前記自家発電設備によって供給される供給電力量を、第１の外部装置から取得する供給量取得部と、
前記構内に設置された全ての家電機器の消費電力量の総和である総消費電力量を、第２の外部装置から取得する消費量取得部と、
前記供給量取得部が取得した供給電力量の履歴である供給量履歴および前記消費量取得部が取得した総消費電力量の履歴である消費量履歴を記憶する記憶部と、
前記供給量履歴に基づいて、前記供給電力量の変動を予測し、前記消費量履歴に基づいて、前記消費電力量の変動を予測する変動予測部と、
前記変動予測部によって予測された前記供給電力量の変動と、前記変動予測部によって予測された前記供給電力量の変動とを比較し、比較結果に応じて動作条件を設定し、設定した動作条件で前記動作部を動作させる動作制御部と、を有することを特徴とする家電機器。
【請求項３】
前記動作条件は、前記動作を開始する動作開始時刻、前記動作を終了する動作終了時刻または前記動作を行う動作時間の少なくともいずれか１つを含むことを特徴とする請求項１または２記載の家電機器。
【請求項４】
商用電源および自家発電設備によって電力が供給される構内に設置される洗濯乾燥機であって
設定された動作条件に従って洗濯乾燥動作を行う洗濯乾燥動作部と、
前記自家発電設備によって供給される供給電力量を、第１の外部装置から取得する供給量取得部と、
前記構内に設置された、洗濯乾燥機を含む全ての家電機器の消費電力量の総和である総消費電力量を、第２の外部装置から取得する消費電力量取得部と、
前記供給量取得部が取得した供給電力量と、前記消費電力量取得部が取得した総消費電力量とを比較し、比較結果に応じて動作条件を設定し、設定した動作条件で前記洗濯乾燥動作部を動作させる動作制御部と、を有することを特徴とする洗濯乾燥機。
【請求項５】
商用電源および自家発電設備によって電力が供給される構内に設置される洗濯乾燥機であって、
設定された動作条件に従って洗濯乾燥動作を行う洗濯乾燥動作部と、
前記自家発電設備によって供給される供給電力量を、第１の外部装置から取得する供給量取得部と、
前記構内に設置された、洗濯乾燥機を含む全ての家電機器の消費電力量の総和である総消費電力量を、第２の外部装置から取得する消費量取得部と、
前記供給量取得部が取得した供給電力量の履歴である供給量履歴および前記消費量取得部が取得した総消費電力量の履歴である消費量履歴を記憶する記憶部と、
前記供給量履歴に基づいて、前記供給電力量の変動を予測し、前記消費量履歴に基づいて、前記消費電力量の変動を予測する変動予測部と、
前記変動予測部によって予測された前記供給電力量の変動と、前記変動予測部によって予測された前記供給電力量の変動とを比較し、比較結果に応じて動作条件を設定し、設定した動作条件で前記洗濯乾燥動作部を動作させる動作制御部と、を有することを特徴とする洗濯乾燥機。
【請求項６】
前記洗濯乾燥動作部は、注水モード、洗浄モード、濯ぎモード、脱水モードおよび乾燥モードの各動作モードで動作可能に構成され、
前記動作条件は、前記各動作モードで動作を開始する動作モード開始時刻、前記各動作モードの動作を終了する動作終了時刻または前記各動作モードで動作を行う動作時間の少なくともいずれか１つを含むことを特徴とする請求項４または５記載の洗濯乾燥機。
【発明の詳細な説明】
【技術分野】
【０００１】
予約動作が可能な家電機器および洗濯乾燥機に関する。
【背景技術】
【０００２】
地球環境への配慮、エネルギの枯渇化対策、災害による発電施設の停止など様々な状況から、エネルギ対策が講じられており、工場やオフィスビルなどの大量の電力消費施設だけでなく一般家庭においてもエネルギ対策が求められている。
【０００３】
一般家庭でのエネルギ対策の一つとして、太陽光を利用した太陽光発電があり、自家発電によって生じた電力によって家屋内で消費される電力の一部または全部を賄おうとするものである。太陽光発電は、天候によって発電量が左右されるなど電力供給源としては、不安定な側面を有しているので、通常は商用電源と併用する。
【０００４】
一方、電力を消費する負荷となる家電機器は、機器ごとに消費電力が異なっており、１つの機器でも、動作モードや動作条件が異なれば消費電力が異なる。
【０００５】
自家発電によって供給される電力供給量、商用電源からの電力供給量、家屋内に設置された各家電機器の消費電力量などを、一般家庭のユーザが管理することは困難である。
【０００６】
エネルギ管理を補助するシステムとして家庭内エネルギ監視システム（ＨＥＭＳ）が導入されている。ＨＥＭＳにより、消費電力量および消費電力量の推移などを表示することができる。
【０００７】
家電機器の中で、たとえば、全自動洗濯乾燥機は、予約動作が可能であったり、洗いや濯ぎなどの複数の動作モードがあり、動作制御も複雑である。
【０００８】
特許文献１記載の全自動洗濯乾燥機は、衣類重量に基づいて運転所要時間を予想し、運転所要時間と電力単価の安い時間帯とに基づいて、運転モードの各モードの開始時刻、終了時刻を算出して表示する。
【先行技術文献】
【特許文献】
【０００９】
【特許文献１】特開２００７−２３６５３８号公報
【発明の概要】
【発明が解決しようとする課題】
【００１０】
上記のように、特許文献１記載の全自動洗濯乾燥機は、電力単価の安い時間帯に優先的に運転動作を行うものであり、自家発電により供給される供給電力量は考慮されていない。自家発電を利用する場合は、自家発電により供給される発電量が変動し、供給電力量が商用電源のように安定していないので、動作中に消費電力量が供給電力量を上回ってしまうおそれがある。
【００１１】
本発明の目的は、供給電力量に応じた動作制御が可能な家電機器および洗濯乾燥機を提供することである。
【課題を解決するための手段】
【００１２】
本発明は、商用電源および自家発電設備によって電力が供給される構内に設置される家電機器であって、
設定された動作条件に従って動作を行う動作部と、
前記自家発電設備によって供給される供給電力量を、第１の外部装置から取得する供給量取得部と、
前記構内に設置された全ての家電機器の消費電力量の総和である総消費電力量を、第２の外部装置から取得する消費電力量取得部と、
前記供給量取得部が取得した供給電力量と、前記消費電力量取得部が取得した総消費電力量とを比較し、比較結果に応じて動作条件を設定し、設定した動作条件で前記動作部を動作させる動作制御部と、を有することを特徴とする家電機器である。
【００１３】
また本発明は、商用電源および自家発電設備によって電力が供給される構内に設置される家電機器であって、
設定された動作条件に従って動作を行う動作部と、
前記自家発電設備によって供給される供給電力量を、第１の外部装置から取得する供給量取得部と、
前記構内に設置された全ての家電機器の消費電力量の総和である総消費電力量を、第２の外部装置から取得する消費量取得部と、
前記供給量取得部が取得した供給電力量の履歴である供給量履歴および前記消費量取得部が取得した総消費電力量の履歴である消費量履歴を記憶する記憶部と、
前記供給量履歴に基づいて、前記供給電力量の変動を予測し、前記消費量履歴に基づいて、前記消費電力量の変動を予測する変動予測部と、
前記変動予測部によって予測された前記供給電力量の変動と、前記変動予測部によって予測された前記供給電力量の変動とを比較し、比較結果に応じて動作条件を設定し、設定した動作条件で前記動作部を動作させる動作制御部と、を有することを特徴とする家電機器である。
【００１４】
また本発明は、前記動作条件は、前記動作を開始する動作開始時刻、前記動作を終了する動作終了時刻または前記動作を行う動作時間の少なくともいずれか１つを含むことを特徴とする。
【００１５】
また本発明は、商用電源および自家発電設備によって電力が供給される構内に設置される洗濯乾燥機であって、
設定された動作条件に従って洗濯乾燥動作を行う洗濯乾燥動作部と、
前記自家発電設備によって供給される供給電力量を、第１の外部装置から取得する供給量取得部と、
前記構内に設置された、洗濯乾燥機を含む全ての家電機器の消費電力量の総和である総消費電力量を、第２の外部装置から取得する消費電力量取得部と、
前記供給量取得部が取得した供給電力量と、前記消費電力量取得部が取得した総消費電力量とを比較し、比較結果に応じて動作条件を設定し、設定した動作条件で前記洗濯乾燥動作部を動作させる動作制御部と、を有することを特徴とする洗濯乾燥機である。
【００１６】
また本発明は、商用電源および自家発電設備によって電力が供給される構内に設置される洗濯乾燥機であって、
設定された動作条件に従って洗濯乾燥動作を行う洗濯乾燥動作部と、
前記自家発電設備によって供給される供給電力量を、第１の外部装置から取得する供給量取得部と、
前記構内に設置された、洗濯乾燥機を含む全ての家電機器の消費電力量の総和である総消費電力量を、第２の外部装置から取得する消費量取得部と、
前記供給量取得部が取得した供給電力量の履歴である供給量履歴および前記消費量取得部が取得した総消費電力量の履歴である消費量履歴を記憶する記憶部と、
前記供給量履歴に基づいて、前記供給電力量の変動を予測し、前記消費量履歴に基づいて、前記消費電力量の変動を予測する変動予測部と、
前記変動予測部によって予測された前記供給電力量の変動と、前記変動予測部によって予測された前記供給電力量の変動とを比較し、比較結果に応じて動作条件を設定し、設定した動作条件で前記洗濯乾燥動作部を動作させる動作制御部と、を有することを特徴とする洗濯乾燥機である。
【００１７】
また本発明は、前記洗濯乾燥動作部は、注水モード、洗浄モード、濯ぎモード、脱水モードおよび乾燥モードの各動作モードで動作可能に構成され、
前記動作条件は、前記各動作モードで動作を開始する動作モード開始時刻、前記各動作モードの動作を終了する動作終了時刻または前記各動作モードで動作を行う動作時間の少なくともいずれか１つを含むことを特徴とする。
【発明の効果】
【００１８】
本発明によれば、供給量取得部が、自家発電設備によって供給される供給電力量を、第１の外部装置から取得し、消費電力量取得部が、構内に設置された全ての家電機器の消費電力量の総和である総消費電力量を、第２の外部装置から取得すると、動作制御部が、前記供給量取得部が取得した供給電力量と、前記消費電力量取得部が取得した総消費電力量とを比較し、比較結果に応じて動作条件を設定し、設定した動作条件で動作部を動作させる。
【００１９】
家電機器の消費電力量と自家発電によって供給される供給電力量とを取得することにより、供給電力量に応じた家電機器の動作制御が可能となる。
【００２０】
また本発明によれば、供給量取得部が、自家発電設備によって供給される供給電力量を、第１の外部装置から取得し、消費電力量取得部が、構内に設置された全ての家電機器の消費電力量の総和である総消費電力量を、第２の外部装置から取得する。記憶部は、前記供給量取得部が取得した供給電力量の履歴である供給量履歴および前記消費量取得部が取得した総消費電力量の履歴である消費量履歴を記憶し、変動予測部が、前記供給量履歴に基づいて、前記供給電力量の変動を予測し、前記消費量履歴に基づいて、前記消費電力量の変動を予測する。
【００２１】
動作制御部は、前記変動予測部によって予測された前記供給電力量の変動と、前記変動予測部によって予測された前記供給電力量の変動とを比較し、比較結果に応じて動作条件を設定し、設定した動作条件で前記動作部を動作させる。
【００２２】
予測された家電機器の消費電力量の変動と、予測された自家発電による供給電力量の変動とを取得することにより、供給電力量に応じた家電機器の動作制御が可能となる。
【００２３】
また本発明によれば、前記動作条件として、前記動作を開始する動作開始時刻、前記動作を終了する動作終了時刻または前記動作を行う動作時間の少なくともいずれか１つを含む。
【００２４】
これにより、動作の開始時刻を前後させたり、動作の終了時刻を前後させたり、動作時間を変更させたりすることで、供給電力量に応じた動作を行うことができる。
【００２５】
また本発明によれば、供給量取得部が、自家発電設備によって供給される供給電力量を、第１の外部装置から取得し、消費電力量取得部が、構内に設置された、洗濯乾燥機を含む全ての家電機器の消費電力量の総和である総消費電力量を、第２の外部装置から取得すると、動作制御部が、前記供給量取得部が取得した供給電力量と、前記消費電力量取得部が取得した総消費電力量とを比較し、比較結果に応じて動作条件を設定し、設定した動作条件で洗濯乾燥動作部を動作させる。
【００２６】
家電機器の消費電力量と自家発電によって供給される供給電力量とを取得することにより、供給電力量に応じた洗濯乾燥機の動作制御が可能となる。
【００２７】
また本発明によれば、供給量取得部が、自家発電設備によって供給される供給電力量を、第１の外部装置から取得し、消費電力量取得部が、構内に設置された、洗濯乾燥機を含む全ての家電機器の消費電力量の総和である総消費電力量を、第２の外部装置から取得する。記憶部は、前記供給量取得部が取得した供給電力量の履歴である供給量履歴および前記消費量取得部が取得した総消費電力量の履歴である消費量履歴を記憶し、変動予測部が、前記供給量履歴に基づいて、前記供給電力量の変動を予測し、前記消費量履歴に基づいて、前記消費電力量の変動を予測する。
【００２８】
動作制御部は、前記変動予測部によって予測された前記供給電力量の変動と、前記変動予測部によって予測された前記供給電力量の変動とを比較し、比較結果に応じて動作条件を設定し、設定した動作条件で洗濯乾燥動作部を動作させる。
【００２９】
予測された各家電機器の消費電力量の変動と、予測された自家発電による供給電力量の変動とを取得することにより、供給電力量に応じた洗濯乾燥機の動作制御が可能となる。
【００３０】
また本発明によれば、前記洗濯乾燥動作部は、注水モード、洗浄モード、濯ぎモード、脱水モードおよび乾燥モードの各動作モードで動作可能に構成され、前記動作条件は、前記各動作モードで動作を開始する動作モード開始時刻、前記各動作モードの動作を終了する動作終了時刻または前記各動作モードで動作を行う動作時間の少なくともいずれか１つを含む。
【００３１】
これにより、各動作モードにおいて、動作の開始時刻を前後させたり、動作の終了時刻を前後させたり、動作時間を変更させたりすることで、供給電力量に応じた動作を行うことができる。
【図面の簡単な説明】
【００３２】
【図１】ホームシステムＡの構成を示す概略図である。
【図２】洗濯乾燥機１の構成を示すブロック図である。
【図３】動作条件の変更について説明するための図である。
【図４】変動予測時の動作条件の変更について説明するための図である。
【図５Ａ】洗濯乾燥機１の予約動作制御処理を示すフローチャートである。
【図５Ｂ】洗濯乾燥機１の予約動作制御処理を示すフローチャートである。
【発明を実施するための形態】
【００３３】
図１は、ホームシステムＡの構成を示す概略図である。全自動洗濯乾燥機（以下では、「洗濯乾燥機」ともいう）１は、一般家庭の家屋に設置される洗濯乾燥機であり、自家発電装置２および電力測定器３から発電量および消費電力量を取得する。また、洗濯乾燥機１は、ルータ４を介して情報提供サーバ５から発電量の変動予測に必要な情報を取得する。
【００３４】
本実施形態では、自家発電装置２が太陽電池を利用して発電する。太陽電池は、現在では多くの一般家庭にも普及しており、家屋の屋根上に設置して照射される太陽光により起電力を発生させ、発生した起電力を集電して利用する。
【００３５】
家屋内には、洗濯乾燥機以外にも冷蔵庫、照明器具、空気調和機（エアコン）、テレビジョン受像機（テレビ）、ハードディスクドライブ（ＨＤＤ）レコーダなど数多くの家電機器が設置されている。これらの消費電力を監視し、自家発電により得られた発電量を主たる供給電力量として、家屋内の家電機器を動作させる。
【００３６】
太陽電池などによって発生した電力は直流電力であり、家電機器に供給するためには、直流電力から交流電力に変換する必要がある。自家発電装置２を利用するほとんどのホームシステムでは、自家発電装置２として、家電機器に電力供給するために、実際に発電する太陽電池以外にも畜電池、パワーコンディショナ（パワコン）などを備える。
【００３７】
自家発電装置２は、太陽電池で発電された直流電力を畜電池などに一旦畜電し、畜電池から取り出した直流電力をパワコンにより、交流電力に変換して、各家電機器に供給する。
【００３８】
電力測定器３は、洗濯乾燥機１と同じ家屋に設置された全ての家電機器の消費電力量の総和である総消費電力量を算出する。洗濯乾燥機１は、電力測定器３から総消費電力量を取得する。電力測定器３は、たとえば複数のスマートタップと、各スマートタップから消費電力量を受信する通信装置とから構成される。
【００３９】
スマートタップは、分電盤に集配される電力線の負荷側に接続されたコンセントに挿入される栓刃と、家電機器の電源プラグが挿入可能なプラグ受けとを備える電源タップである。スマートタップは、家電機器の電源プラグがプラグ受けに挿入され、栓刃がコンセントに差し込まれた状態で、タップ内を流れる電流の電流値と電圧値とから消費電力量を検出し、検出した消費電力量を無線通信によって通信装置に送信することができる。
【００４０】
このようなスマートタップを用いれば、スマートタップを介してコンセントに電源プラグを挿入した家電機器の消費電力量を一定時間間隔で通信装置によって収集することができる。
【００４１】
通信装置は、各スマートタップから送信されてくる消費電力量を受信し、受信した全ての消費電力量の総和を算出して総消費電力量を得る。通信装置は、有線通信または無線通信によって、洗濯乾燥機１に総消費電力量を送信する。
【００４２】
このようにして、洗濯乾燥機１は、第２の外部装置である電力測定器３から一定時間間隔で、家屋内の総消費電力量を取得することができる。なお、洗濯乾燥機１も家屋のコンセントから電力の供給を受けており、洗濯乾燥機１の電源プラグを、スマートタップを介してコンセントに接続することで、電力測定器３が算出する総消費電力量に、洗濯乾燥機１自身の消費電力量も含まれる。
【００４３】
また、洗濯乾燥機１は、第１の外部装置である自家発電装置２から供給電力量を取得する。供給電力量は、太陽電池で発電した発電量ではなく、分電盤を介して各家電機器に供給することが可能な電力量であり、畜電池に蓄電された電力量である。消費電力量に基づいて、家屋内での電力需給を判断するにあたっては、実際の供給可能な電力量を取得する必要がある。
【００４４】
太陽電池の発電によって得られた電力が畜電池に畜電されるのであるから、太陽電池による発電量と畜電池に蓄電される電力量とは対応する。
【００４５】
家電機器によって電力消費がされている状態では、太陽電池による発電量が消費電力量を上回れば、畜電池に蓄電される電力量は増加し、太陽電池による発電量が消費電力量を下回れば、畜電池に蓄電される電力量は減少する。
【００４６】
太陽電池の発電量は、天候によって大きく影響を受ける。天候が悪く、太陽電池への太陽光の照射量が減少すると発電量も減少し、天候が良く、太陽電池への太陽光の照射量が増加すると発電量も増加する。
【００４７】
自家発電装置２からの供給電力量の変動予測を行う場合には、天候の変動予測が必要となる。天候の変動予測は、天候予報情報を取得することで行うことができる。天候予報情報は、気象庁やその他民間の情報提供業者から容易に取得することができる。本実施形態では、情報提供サーバ５から提供される天候予報情報を利用する。
【００４８】
提供される天候予報情報には、予め定める地域（予報区）ごとに、天気予報、降水確率、雲量（全天に占める雲の割合）、日照時間、日照率（日照時間と可照時間との比）などが含まれている。
【００４９】
たとえば、可照時間において、雲量が多ければ発電量は小さくなり、雲量が少なければ発電量は大きくなることがわかる。予め雲量と、発電量すなわち供給電力量との関係を実験的に決定しておけば、雲量の変動予測から、供給電力の変動予測を得ることができる。
【００５０】
したがって、洗濯乾燥機１は、情報提供サーバ５から天候予報情報を取得し、取得した天候予報情報に基づいて、供給電力量の変動予測を行うことができる。
【００５１】
図２は、洗濯乾燥機１の構成を示すブロック図である。洗濯乾燥機１は、制御部１０、通信制御部１１、操作部１２、洗濯乾燥部１３および記憶部１４で構成される。
【００５２】
洗濯乾燥機１は、注水モード、洗浄モード、濯ぎモード、脱水モードおよび乾燥モードの各動作モードで動作可能に構成される。各動作モードは、予め記憶部１４に記憶されている初期動作条件で動作させることも可能であり、操作部１２を操作してユーザが適宜入力した動作条件で動作させることも可能である。
【００５３】
制御部１０は、記憶部１４に記憶されている各種の制御プログラムに基づいて洗濯乾燥機１の動作制御を行う。通信制御部１１は、自家発電装置２、電力測定器３および情報提供サーバ５と無線通信または有線通信を行う。操作部１２は、ユーザが洗濯乾燥機１を動作させるための入力操作を行う複数のキーなどからなる。複数のキーは、動作モードを指定するキー、動作モードごとに動作条件を入力するキー、１または複数の動作モードを含む一連の洗濯乾燥動作の実行を開始させるスタートキー、実行中の洗濯乾燥動作を停止させるストップキー、実行中の洗濯乾燥動作を一時停止させる一時停止キー、予約動作させるための予約設定条件を入力する予約設定キーなどを含む。
【００５４】
洗濯乾燥部１３は、洗濯物を洗濯し、必要に応じて洗濯後の洗濯物を乾燥する。洗濯乾燥部１３は、既存の全自動洗濯乾燥機と同様の構成であり、洗濯槽、洗濯槽を回転させる駆動機、洗濯槽内を加熱するためのヒータなどを含む。
【００５５】
各動作モードは、ユーザがいずれか１つの動作モードだけを指定し、動作条件を入力することで、指定した１つの動作モードのみを実行することもできる。
【００５６】
たとえば、注水モードでは、注水する水量を動作条件として設定する。洗浄モードでは、洗浄時間、洗浄回数などを動作条件として設定する。濯ぎモードでは、濯ぎ回数などを動作条件として設定する。脱水モードでは、脱水時間などを動作条件として設定する。乾燥モードでは、乾燥時間などを動作条件として設定する。
【００５７】
また、洗濯乾燥機１は、注水モード、洗浄モード、濯ぎモード、脱水モードおよび乾燥モードをこの順序で実行するが、各動作モード間では動作を一時的に中止することが可能である。たとえば、濯ぎモードが終了すると、続いて脱水モードを開始するが、濯ぎモードが終了した時点で動作を一時停止し、所定の時間が経過したのち、または所定の条件を満足すると脱水モードを開始することもできる。
【００５８】
さらに、洗濯乾燥機１は、動作開始時刻または動作終了時刻を予め設定することで、いわゆる予約動作を行うことができる。予約動作によって、ユーザが動作開始の指示を入力しなくとも、動作開始時刻などの予め設定した予約設定条件に従って動作させて、洗濯乾燥を所望のタイミングで行うことができる。
【００５９】
動作開始時刻を設定すれば、設定された時刻になると、注水モードが開始され、各動作モードが順次実行される。動作終了時刻を設定すれば、各動作モードの実行に要する時間を算出し、算出した動作時間だけ動作終了時刻から遡った開始時刻を設定し、設定された時刻になると各動作モードを実行する。
【００６０】
以下では、各動作モードの予め定める組合せで初期動作条件によって一連の洗濯乾燥動作を実行する場合を全自動コース、ユーザが動作モードを指定し、動作条件を設定して一連の洗濯乾燥動作を実行する場合をカスタムコースという。全自動コースおよびカスタムコースのいずれも、ユーザがスタートキーを押して一連の洗濯乾燥動作を開始させる通常動作も、予約設定条件に従って一連の洗濯動作を開始させる予約動作も可能である。
【００６１】
本実施形態の洗濯乾燥機１は、通常動作および予約動作のいずれかによって洗濯乾燥動作が開始すると、通信制御部１１が供給電力量と総消費電力量の受信を開始する。制御部１０は、通信制御部１１が受信した供給電力量と総消費電力量とを比較して、供給電力量が総消費電力量を所定量分上回っているかどうかを確認する。供給電力量から総消費電力量を引いた差を算出し、算出した差が所定量以上であれば十分な量の電力量が供給されているので、制御部１０は、洗濯乾燥動作を継続する。
【００６２】
算出した差が所定量未満（０およびマイナスも含む）であれば、供給される電力量が不足しているかまたは不足する可能性が高くなるので、制御部１０は、（１）洗濯乾燥動作の動作条件を変更するか、（２）変更するかどうかの判断を行う。
【００６３】
＜第１の実施態様＞
（１）では、供給電力量が不足する場合に、洗濯乾燥機１による消費電力量を抑えて、総消費電力量を減少させる。制御部１０は、算出した差が所定量未満であれば、算出した時点で実行されている動作モードの動作条件を変更するか、または動作モードの実行を一時停止する。
【００６４】
各動作モードにおける動作条件と、洗濯乾燥機１の消費電力量とは、予め関係付けられたテーブルなどとして記憶部１４に記憶される。制御部１０は、供給電力量から総消費電力量を引いた差を算出し、算出した差が所定量未満であれば、記憶部１４に記憶されたテーブルを参照して、実行中の動作モードの動作条件を変更して消費電力量を低減させる。
【００６５】
＜第２の実施態様＞
（２）では、供給電力量が不足する場合に、制御部１０は、洗濯乾燥機１が消費電力量を抑えるような動作条件を変更する必要があるかどうかを判断する。総消費電力量は、洗濯乾燥機１を含む複数の家電機器が実行しているときには、実行している複数の家電機器の消費電力量の総和であるので、洗濯乾燥機１以外に実行している家電機器の消費電力量を低減させれば、総消費電力量を抑えて電力量の供給不足を回避できる。
【００６６】
このような場合に、洗濯乾燥機１が、他の家電機器の動作制御を行うことはできず、たとえば、ＨＥＭＳなどの管理サーバ装置が洗濯乾燥機１を含む家電機器全体の動作制御を行うことになる。通信制御部１１は、管理サーバ装置からの制御指示を受信可能に構成され、制御指示を受信すると受信した制御指示に従って動作条件の変更を行う。
【００６７】
また、管理サーバ装置を利用せずに複数の家電機器の動作制御を行うことも可能である。家屋内に設置された家電機器がそれぞれ家電機器の優先順位を示す優先順位情報を記憶しておき、供給電力量が不足する場合には、現在動作中の家電機器を電力測定器３から取得して、優先順位に応じて自らが動作条件を変更する必要があるかどうかを各家電機器が個別に判断する。
【００６８】
電力測定器３は、スマートタップを利用した公知のシステムによって、予めスマートタップにどのような家電機器が接続されているか、現在動作中の家電機器はいずれか、などの各種情報を取得することが可能である。
【００６９】
制御部１０は、供給電力量から総消費電力量を引いた差を算出し、算出した差が所定量未満であれば、通信制御部１１に電力測定器３から現在動作中の家電機器に関する情報を取得させる。制御部１０は、予め記憶部１４に記憶された優先順位情報と、電力測定器３から取得した動作中の家電機器に関する情報とに基づいて動作条件を変更するかどうかを判断する。
【００７０】
制御部１０は、現在動作中の家電機器の中で洗濯乾燥機１の優先順位が最下位であった場合は、自らが動作条件を変更する必要があると判断し、（１）と同様に、記憶部１４に記憶されたテーブルを参照して、実行中の動作モードの動作条件を変更して消費電力量を低減させる。これによって、供給電力の不足を回避することができる。
【００７１】
制御部１０は、優先順位が最下位でなければ動作条件を変更する必要はないと判断し、現在の動作条件のまま動作を継続する。その場合、優先順位が最下位の他の家電機器が動作条件を変更して、供給電力の不足を回避することになる。
【００７２】
図３は、動作条件の変更について説明するための図である。図３では、供給電力量の変動を破線による曲線で表し、消費電力量を棒グラフで表している。図３（ａ）に示す例では、洗濯乾燥機１が、時刻Ｔ０で洗濯乾燥動作を開始し、時刻Ｔ１で洗濯乾燥動作を終了する予定である場合を想定している。洗濯乾燥機１が動作中に他の家電機器であるエアコンが動作を開始したとき、洗濯乾燥機１の消費電力量とエアコンの消費電力量との和である総消費電力量が、供給電力量を超えるものとする。エアコンが動作開始後に、制御部１０が、通信制御部１１が受信した供給電力量と総消費電力量とを比較して、供給電力量と総消費電力量との差を算出すると、供給電力量が総消費電力量を下回っていることが検出される。供給電力量が不足する場合、制御部１０は、予め記憶部１４に記憶された優先順位情報と、電力測定器３から取得した動作中の家電機器がエアコンであるとの情報に基づいて動作条件を変更するかどうかを判断する。現在動作中のエアコンと洗濯乾燥機１において、洗濯乾燥機１の優先順位が最下位であった場合は、自らが動作条件を変更する必要があると判断し、記憶部１４に記憶されたテーブルを参照して、実行中の動作モードの動作条件を変更して消費電力量を低減させる。消費電力量を単に低減させても総消費電力量が供給電力量を下回らない場合には、動作条件として動作の一時停止を選択して洗濯乾燥機１を一時停止させ、エアコンのみを動作させる。
【００７３】
このように、洗濯乾燥機１の動作を一時停止した場合、たとえば、エアコンが停止すると、洗濯乾燥機１の動作を開始させるが、一時停止していた期間があっても終了予定時刻が変わらないようにするか、終了予定時刻を一時停止していた期間分終了予定時刻を遅くする。
【００７４】
図３（ｂ）に示す例では、一時停止していた期間があっても終了予定時刻が変わらないようにするために、一時停止からの再開後に実行する動作モードにおいて、動作条件を変更する。たとえば、再開後に実行する動作モードが濯ぎモードであれば、濯ぎ回数を減らす、再開後に実行する動作モードが脱水モードであれば、脱水時間を短縮するなどの動作条件の変更を行う。これにより、一時停止していた期間があったとしても、終了予定時刻は変更されない。
【００７５】
図３（ｂ）に示す例の場合、洗濯乾燥の内容が変更されるので、得られる洗濯物の品質が、一時停止しなかった場合に比べて劣化することも考えられる。
【００７６】
図３（ｃ）に示す例では、再開後に実行する動作モードの動作条件を変更しないために、一時停止していた時間分だけ終了予定時刻が遅くなる。この場合、終了予定時刻は遅くなるが動作条件が変更されないので、得られる洗濯物の品質を劣化させることがない。
【００７７】
ユーザは、図３（ｂ）のような終了時刻を優先するか、図３（ｃ）のような洗濯品質を優先するかを、予め設定することができる。
【００７８】
＜第３の実施態様＞
次に本発明の他の実施態様について説明する。本実施態様では、供給電力量および消費電力量の経時的な変動を予測し、洗濯乾燥機１を予約動作させる場合に、予測した変動に応じて動作条件を予め変更する。
【００７９】
上記の第１および第２の実施態様のように、動作実行中に供給電力量と総消費電力量とを比較し、比較結果に応じて動作条件を変更する場合に、ユーザは、終了時刻が遅くなるか洗濯品質が劣化するかのいずれかを受け入れなければならない。
【００８０】
供給電力量の経時的な変動の予測は、前述のように、情報提供サーバ５から提供される天候予報情報を利用してもよく、過去に受信した供給電力量を供給電力量の履歴として記憶部１４に記憶し、記憶した供給電力量の履歴を利用してもよい。
【００８１】
総消費電力量の経時的な変動の予測は、予約動作が可能な他の家電機器について、予約動作時に予想される消費電力量を電力測定器３から取得し、取得した消費電力量に基づいて算出することができる。または、過去に受信した総消費電力量を総消費電力量の履歴として記憶部１４に記憶し、記憶した総消費電力量の履歴を用いて算出することができる。
【００８２】
図４は、変動予測時の動作条件の変更について説明するための図である。図４では、供給電力量の予測される変動を破線による曲線で表し、消費電力量の予測される変動を棒グラフで表している。
【００８３】
図４（ａ）に示すように、供給電力量の変動と、総消費電力量の変動とを時刻ごとに比較し、供給電力量が総消費電力量を下回る期間がある場合には、予約動作が開始される開始時刻よりも前に動作条件を変更する。この場合の動作条件には、予約動作の開始時刻を含む。図４に示すように、供給電力量が時間経過によって減少するような場合は、洗濯乾燥機１の予約動作開始時刻を早目に変更することで、供給電力量が比較的多いときに洗濯乾燥動作を実行し、予約動作終了時刻を早めることができる。なお、予約動作終了時刻を変更したくない場合には、予約動作開始時刻を早めた分だけ、動作モード間に一時停止期間を設けてもよい。たとえば、図４（ｂ）に示すように、濯ぎモードと脱水モードとの間に一時停止期間を設けて、供給電力量が十分見込まれる時間帯に注水モードから濯ぎモードまで終了させておき、濯ぎモード終了時点で一時停止し、予約動作終了時刻に合わせて脱水モードを実行すればよい。
【００８４】
図５Ａ、図５Ｂは、洗濯乾燥機１の予約動作制御処理を示すフローチャートである。本フローは、全自動コースでもカスタムコースでも同じである。ステップＳ１では、制御部１０が、予約動作終了時刻が設定されているかどうかを判断し、設定されていなければ待機し、設定されていればステップＳ２に進む。ステップＳ２では、予約開始時刻に達したか、またはスタートキーが押されることにより、制御部１０が、洗濯乾燥動作を開始する。ステップＳ３では、制御部１０が、洗濯乾燥動作が終了したかどうかを判断し、洗濯乾燥動作が終了していれば動作制御処理を終了し、洗濯乾燥動作が終了していなければステップＳ４に進む。
【００８５】
ステップＳ４では、制御部１０が、総電力消費量および供給電力量を取得して比較する。ステップＳ５では、制御部１０が、総電力消費量と供給電力量との差が所定量以下かどうかを判断する。所定量以下であれば、供給電力量が不足するおそれがあるものとしてステップＳ６に進み、所定量を超えていれば、供給電力量が不足するおそれはないものとしてステップＳ１１に進む。
【００８６】
ステップＳ６では、制御部１０が、予め記憶部１４に記憶された優先順位情報と、電力測定器３から取得した動作中の家電機器に関する情報とに基づいて、自機器の優先順位が最下位かどうかを判断する。最下位であれば、ステップＳ７に進み、最下位でなければステップＳ４に戻る。ステップＳ７では、制御部１０が、動作が一時停止中かどうかを判断し、一時停止中であれば、ステップＳ４に戻り、一時停止中でなければステップＳ８に進む。ステップＳ８では、制御部１０が、現時点が停止してもよいタイミングであるかどうかを判断し、停止してしてもよいタイミングであればステップＳ１０に進んで一時停止する。停止してもよいタイミングでなければ、ステップＳ９に進み、制御部１０が、現時点以降で一時停止が可能なタイミングを設定し、設定したタイミングになるとステップＳ１０に進んで一時停止を行う。
【００８７】
ステップＳ１１では、制御部１０が、一時停止中かどうかを判断する。一時停止中であれば、ステップＳ１２に進み、一時停止中でなければステップＳ４に戻る。なお、ステップＳ１０で一時停止したのちに本ステップＳ１１を行う場合に、ステップＳ１２に進むことになる。
【００８８】
ステップＳ１２では、制御部１０が、動作終了時刻が、予約終了時刻に間に合うかどうかを判断し、間に合う場合は、ステップＳ１６で洗濯乾燥動作を再開する。間に合わない場合は、ステップＳ１３で、制御部１０が、終了時刻を優先するかどうかを判断する。終了時刻を優先する場合は、ステップＳ１４で、制御部１０が、予約終了時刻に洗濯乾燥動作が終了するように、現時点以降に実行する動作モードにおける動作条件を変更してステップＳ１６に進んで、動作を再開する。
【００８９】
終了時刻を優先しない、すなわち洗濯品質を優先する場合は、ステップＳ１５で、制御部１０が、現時点以降に実行する動作モードの動作条件を、予約設定時から変えずに予約終了時刻を延長して、ステップＳ１６に進んで動作を再開する。
【符号の説明】
【００９０】
１      全自動洗濯乾燥機
２      自家発電装置
３      電力測定器
４      ルータ
５      情報提供サーバ
１０    制御部
１１    通信制御部
１２    操作部
１３    洗濯乾燥部
１４    記憶部
Ａ      ホームシステム
【図１】
2014124350.tif 000003
【図２】
2014124350.tif 000004
【図３】
2014124350.tif 000005
【図４】
2014124350.tif 000006
【図５Ａ】
2014124350.tif 000007
【図５Ｂ】
2014124350.tif 000008